(57)【要約】      （修正有）【課題】カメラの映像データを監視するシステムにおいて、その設定コストを削減する。【解決手段】監視装置３は、各カメラ１１の解像度の特定情報を受信するカメラ通信部３１と、各カメラ１１について、受信した解像度の特定情報からカメラ管理テーブル３３を参照してカメラごとの解像度を取得し、取得した解像度と一致する解像度を要するチャンネルを割当管理テーブル３４から検索し、その検索結果のチャンネルに取得した解像度のカメラを割り当てるとともに、割り当てたチャンネルに対応付けられる設定データを割当管理テーブル３４から読み取り、読み取った設定データを、割り当てたカメラへと送信するカメラ割当部３２とを有する。【選択図】図２
2015115638.tif 000002
【特許請求の範囲】
【請求項１】
各カメラの撮影性能の特定情報から前記各カメラの撮影性能を検索するためのカメラ管理情報、および、割り当てられたカメラの撮影データを出力する単位であるチャンネルごとに、そのチャンネルに出力する撮影データに要する撮影性能と、そのチャンネルに出力するための設定データとを対応付ける割当管理情報が格納される記憶手段と、
前記各カメラの撮影性能の特定情報を受信するカメラ通信部と、
前記各カメラについて、前記受信した撮影性能の特定情報から前記カメラ管理情報を参照してカメラごとの撮影性能を取得し、
前記取得した撮影性能と一致する撮影性能を要するチャンネルを前記割当管理情報から検索し、その検索結果のチャンネルに取得した撮影性能のカメラを割り当てるとともに、前記割り当てたチャンネルに対応付けられる前記設定データを前記割当管理情報から読み取り、
前記読み取った設定データを、前記割り当てたカメラへ送信するように前記カメラ通信部を制御することで、前記設定データを前記割り当てたカメラに設定させるカメラ割当部とを有することを特徴とする
監視装置。
【請求項２】
前記カメラの撮影性能は、前記カメラの撮影可能な解像度であることを特徴とする
請求項１に記載の監視装置。
【請求項３】
前記カメラ割当部は、前記一致する撮影性能のカメラ割当処理を行った後に、カメラが未割当のチャンネルが存在するときに、その未割当のチャンネルが要する撮影性能よりも高い撮影性能を備える代替カメラを、前記未割当のチャンネルへ割り当てるとともに、前記割り当てたチャンネルに対応付けられる前記設定データを前記代替カメラへ送信するように前記カメラ通信部を制御することを特徴とする
請求項１または請求項２に記載の監視装置。
【請求項４】
前記カメラ割当部は、前記一致する撮影性能のカメラ割当処理、および、前記代替カメラのカメラ割当処理を行った後に、カメラが未割当のチャンネルが存在するときに、その未割当のチャンネルに関する情報を警告することを特徴とする
請求項３に記載の監視装置。
【請求項５】
請求項１ないし請求項４のいずれか１項に記載の監視装置と、その監視装置に接続される前記各カメラから構成され、
前記各カメラは、受信した前記設定データを自身に設定することを特徴とする
監視システム。
【請求項６】
各カメラの撮影性能の特定情報から前記各カメラの撮影性能を検索するためのカメラ管理情報、および、割り当てられたカメラの撮影データを出力する単位であるチャンネルごとに、そのチャンネルに出力する撮影データに要する撮影性能と、そのチャンネルに出力するための設定データとを対応付ける割当管理情報が格納される記憶手段を有する監視装置に、
前記各カメラの撮影性能の特定情報を受信させ、
前記各カメラについて、前記受信した撮影性能の特定情報から前記カメラ管理情報を参照してカメラごとの撮影性能を取得させ、
前記取得した撮影性能と一致する撮影性能を要するチャンネルを前記割当管理情報から検索し、その検索結果のチャンネルに取得した撮影性能のカメラを割り当てるとともに、前記割り当てたチャンネルに対応付けられる前記設定データを前記割当管理情報から読み取らせ、
前記読み取った設定データを、前記割り当てたカメラへ送信することで、前記設定データを前記割り当てたカメラに設定させるための
監視プログラム。
【発明の詳細な説明】
【技術分野】
【０００１】
本発明は、監視装置、監視システムおよび監視プログラムに関する。
【背景技術】
【０００２】
カメラ機器の高性能化に伴い、解像度の設定や、各種撮影モードの設定など、カメラの撮影前の設定作業が複雑化している。さらに、カメラは複数のメーカーからそれぞれ販売されるので、設定画面への設定操作の習得に時間がかかってしまう。そこで、カメラの設定作業を自動化する技術が、特許文献１や特許文献２に開示されている。
【０００３】
特許文献１には、機器のための設定情報を含むバーコードを含むシーンの画像を獲得し、画像を処理して設定情報を抽出し、設定情報を使用して機器を設定する電子機器の設定方法が記載されている。
特許文献２には、取付後のカメラから取得した現在の被写体情報と記憶してある被写体情報とが一致したときに、被写体の撮影状態の設定を以前と同じにする設定作業を実行するカメラシステムが記載されている。
【先行技術文献】
【特許文献】
【０００４】
【特許文献１】特表２０１２−５１８９３３号公報
【特許文献２】特開２０１０−２１９２０号公報
【発明の概要】
【発明が解決しようとする課題】
【０００５】
カメラが撮影した映像データを、カメラとは別の監視装置へと送信する監視システムも提案されている。監視装置は、接続されるカメラからの映像データを、接続されるディスプレイなどに表示する。このような監視システムを実際に動作させるためには、単にカメラを撮影可能なように設定するだけでなく、映像データを表示可能なように管理する監視装置にも、設定が必要である。
【０００６】
しかし、特許文献１，２などの従来の技術では、カメラを装置単体（スタンドアロン）で設定することを支援するものの、カメラと監視装置とを併せたシステム全体としての設定を支援することは提案されていない。そのため、監視システムの管理者は、カメラの設定に合わせて監視装置も設定をする必要があり、設定作業の手間削減が不充分であった。なお、監視装置に接続されるカメラの台数が増えるほど設定作業の手間も増えてしまうため、管理者による手作業の設定では、大規模な監視システムを運営することは困難である。
【０００７】
そこで、本発明は、カメラの映像データを監視するシステムにおいて、その設定コストを削減することを、主な課題とする。
【課題を解決するための手段】
【０００８】
前記課題を解決するために、本発明の監視装置は、
各カメラの撮影性能の特定情報から前記各カメラの撮影性能を検索するためのカメラ管理情報、および、割り当てられたカメラの撮影データを出力する単位であるチャンネルごとに、そのチャンネルに出力する撮影データに要する撮影性能と、そのチャンネルに出力するための設定データとを対応付ける割当管理情報が格納される記憶手段と、
前記各カメラの撮影性能の特定情報を受信するカメラ通信部と、
前記各カメラについて、前記受信した撮影性能の特定情報から前記カメラ管理情報を参照してカメラごとの撮影性能を取得し、
前記取得した撮影性能と一致する撮影性能を要するチャンネルを前記割当管理情報から検索し、その検索結果のチャンネルに取得した撮影性能のカメラを割り当てるとともに、前記割り当てたチャンネルに対応付けられる前記設定データを前記割当管理情報から読み取り、
前記読み取った設定データを、前記割り当てたカメラへ送信するように前記カメラ通信部を制御することで、前記設定データを前記割り当てたカメラに設定させるカメラ割当部とを有することを特徴とする。
その他の手段は、後記する。
【発明の効果】
【０００９】
本発明によれば、カメラの映像データを監視するシステムにおいて、その設定コストを削減することができる。
【図面の簡単な説明】
【００１０】
【図１】本発明の一実施形態に関する監視システムを示す構成図である。
【図２】本発明の一実施形態に関する監視装置を示す構成図である。
【図３】本発明の一実施形態に関する各管理テーブルを示す構成図である。（ａ）は、カメラ管理テーブルの構成図であり、（ｂ）、（ｃ）、（ｄ）は、それぞれ割当管理テーブルの構成図である。
【図４】本発明の一実施形態に関する監視システムの処理概要を示すフロー説明図である。
【図５】本発明の一実施形態に関するカメラ種別から設定データを特定する処理を示すフロー説明図である。
【図６】本発明の一実施形態に関するカメラ代替処理を示すフロー説明図である。
【発明を実施するための形態】
【００１１】
以下、本発明の一実施形態を、図面を参照して詳細に説明する。
【００１２】
図１は、監視システムを示す構成図である。監視システムは、カメラ１１〜１３と、通信装置２と、監視装置３と、ディスプレイ４１〜４３とが有線または無線のＬＡＮ（Local Area Network）で接続されて構成される。
これらの監視システムを構成する各装置は、演算処理を行う際に用いられる記憶手段としてのメモリと、前記演算処理を行う演算処理装置とを少なくとも備えるコンピュータを搭載または内蔵している。このコンピュータのメモリは、ＲＡＭ（Random Access Memory）などにより構成される。演算処理は、ＣＰＵ（Central Processing Unit）によって構成される演算処理装置が、メモリ上のプログラムを実行することで、実現される。
なお、監視システムを構成する各装置の台数について、図１に例示した台数だけでなく、任意の台数を設置してもよい。
【００１３】
カメラ１１〜１３は、撮影した映像データを送信したり、自身に設定する設定データを受信したりできるネットワーク機能対応カメラである。なお、カメラ１１〜１３は撮影用に製造された専用機器だけでなく、レンズを備える携帯電話などの汎用端末として構成してもよい。
通信装置２は、カメラ１１〜１３と監視装置３との間の通信を中継する装置であり、例えば、ハブ（ＨＵＢ）、スイッチングハブ、または、ルータとして構成される。
監視装置３は、カメラ１１〜１３の撮影した映像データをディスプレイ４１〜４３に出力するとともに、その出力処理のために各カメラ１１〜１３に設定データを送信する装置である。
ディスプレイ４１〜４３は、接続される監視装置３からの映像データをモニタ出力するための表示装置、または、画面表示部を内蔵する表示端末である。監視者は、ディスプレイ４１〜４３の画面を目視することで、カメラ１１〜１３の映像データを監視することができる。
【００１４】
以下、監視装置３による「割当処理」について説明する。
監視装置３は、各カメラ１１〜１３の映像データを、どのディスプレイ４１〜４３へと表示するかを対応付けるために、「チャンネル（ｃｈ）」を介した割当処理を実行する。
例えば、図１では、チャンネル１（ｃｈ：１）には、カメラ１１とディスプレイ４１とが対応付けられている。これにより、カメラ１１の映像データは、ディスプレイ４１を介して表示される。
同様にして、「ｃｈ：２」を介してカメラ１２の映像データがディスプレイ４２を介して表示されるとともに、「ｃｈ：３」を介してカメラ１３の映像データがディスプレイ４３を介して表示される。
【００１５】
なお、監視装置３は、１つのチャンネルに２つのディスプレイ４１，４２を対応付けることで、２台の表示装置で同じ表示内容をミラーリングすることができる。また、監視装置３は、２つのチャンネルに１つのディスプレイ４１を対応付けることで、１台の表示装置内を画面分割して表示することもできる。
さらに、監視装置３は、チャンネルの対応づけ先をディスプレイ４１〜４３の代わりに、ＮＡＳ（Network Attached Storage）などの記憶手段とすることで、映像データを録画することもできる。
【００１６】
図２は、監視装置３を示す構成図である。監視装置３は、カメラ通信部３１と、カメラ割当部３２と、カメラ管理テーブル（カメラ管理情報）３３と、割当管理テーブル（割当管理情報）３４と、映像出力部３５と、映像データバッファ３６とを含めて構成される。
カメラ通信部３１は、図１の通信装置２を介してカメラ１１〜１３との間で通信を行うための通信モジュールである。カメラ通信部３１には、通信手段として、ＨＴＴＰ（HyperText Transfer Protocol）やＵＤＰ（User Datagram Protocol）などの各種の汎用的なネットワークプロトコルが実装されている。カメラ通信部３１は、カメラ割当部３２からの制御指示を受けて、通信データの送受信を実行する。
カメラ割当部３２は、各カメラ１１〜１３に対してチャンネルを割り当てることで、各カメラ１１〜１３の映像データの出力先と、各カメラ１１〜１３の設定データとを特定する。ここで、カメラ割当部３２は、割当処理の手がかりとして、各カメラ１１〜１３からカメラ通信部３１を介して受信したカメラ種別を用いる。なお、カメラ種別とは、例えばカメラの型番であり、各カメラ１１〜１３の撮影性能（撮影可能な解像度など）を特定するための情報（特定情報）である。
【００１７】
カメラ管理テーブル３３および割当管理テーブル３４については、後記する図３にて詳細に説明する。なお、監視装置３は、自身に挿入される不図示の外部記録媒体から各管理テーブル（カメラ管理テーブル３３および割当管理テーブル３４）にそれぞれ格納するデータを読み込み、監視装置３の記憶手段（内部メモリ）内へと書き出す。外部記録媒体には、カメラ１１〜１３のカメラ種別ごとのデータが、あらかじめ管理者によって書き込まれている。
各カメラ１１〜１３の映像データは、カメラ通信部３１で受信すると、映像データバッファ３６へと一時的に蓄えられる。映像出力部３５は、映像データバッファ３６内の映像データを読み込み、各ディスプレイ４１〜４３へと出力することで、映像データを表示させる。
なお、監視装置３は、映像遅延を少なくするために、映像データバッファ３６を用いずに、カメラ通信部３１で受信した映像データを、カメラ通信部３１から映像出力部３５へと直接流すこととしてもよい。
監視装置３内のデータの流れに着目すると、カメラ種別がカメラ通信部３１→カメラ割当部３２に流れ、割当結果がカメラ割当部３２→割当管理テーブル３４→映像出力部３５に流れ、設定データが割当管理テーブル３４→カメラ通信部３１に流れ、映像データがカメラ通信部３１→映像データバッファ３６→映像出力部３５に流れる。
【００１８】
図３は、各管理テーブルを示す構成図である。
図３（ａ）は、カメラ管理テーブル３３の構成図である。カメラ管理テーブル３３は、カメラ種別ごとにそのカメラの撮影可能な解像度を対応付けているテーブルである。なお、本明細書では、説明をわかりやすくするため、解像度の表記として５段階評価の解像度レベルを用いる。解像度レベルは、数値が大きいほど解像度が高い。実際に監視装置３を運用するときには、例えば、以下のように具体的な解像度が設定される。
解像度レベル「５」＝横7680[dot]×縦4320[dot]（スーパーハイビジョン）
解像度レベル「４」＝横4096[dot]×縦2160[dot]（４Ｋ２Ｋ）
解像度レベル「３」＝横1920[dot]×縦1080[dot]（フルハイビジョン）
解像度レベル「２」＝横1280[dot]×縦720[dot]（ハイビジョン）
解像度レベル「１」＝横720[dot]×縦480[dot]（ＳＤ（Standard Definition））
【００１９】
カメラ管理テーブル３３を参照すると、カメラ種別「ＣＸ」のカメラ１１（カメラＩＤ＝Ｃ０１）は、解像度レベルとして、３段階「３，２，１」の解像度のいずれかを撮影可能（設定可能）である。
同様に、カメラ種別「ＣＹ」のカメラ１１（カメラＩＤ＝Ｃ０２）は、２段階「２，１」の解像度に対応し、カメラ種別「ＣＺ」のカメラ１１（カメラＩＤ＝Ｃ０３）は、１段階「４」の解像度に対応する。
【００２０】
図３（ｂ）、（ｃ）、（ｄ）は、それぞれ割当管理テーブル３４の構成図である。図３（ｂ）→図３（ｃ）→図３（ｄ）の順に、割当処理が進む。
割当管理テーブル３４は、チャンネル（ＩＤ）ごとに、その設定データ（解像度、画質、レート）と、その割当結果となるカメラ１１〜１３とを対応付けている。解像度と同様に、画質やレートについても、５段階評価で数値が大きいほど品質が高いレベル表記を用いている。
なお、割当管理テーブル３４内の各設定データとは、カメラ１１〜１３に対して設定されるデータであり、対応するチャンネルが要求する映像データの水準を示す。
また、設定データの具体的なパラメータとして、図３（ｂ）に例示したパラメータだけでなく、プリセット機能の設定、アラームの設定などのカメラ固有の機能設定や、チャンネルごとに別々の撮影対象を撮影するための設定（カメラの向き、位置、焦点距離など）などを含んでもよい。
【００２１】
図３（ｂ）において、カメラ割当部３２は、カメラ１１からカメラ種別「ＣＸ」が通知されると、カメラ管理テーブル３３を参照して、そのカメラ種別「ＣＸ」が撮影可能な解像度「３，２，１」を検索する。
そして、カメラ割当部３２は、割当管理テーブル３４の解像度列「２，１，３」と、カメラ管理テーブル３３から検索した解像度列「３，２，１」とを比較することで、互いに一致する解像度「３」を抽出する。なお、今回の例では、解像度列「２，１」も互いに一致するが、一致する解像度が複数個存在するときには、カメラ割当部３２は、そのうちの最高レベルの解像度を抽出する。
そして、カメラ割当部３２は、割当管理テーブル３４内の抽出した解像度「３」に対応するレコード（第３行の「ＣＨ３」のレコード）をカメラ１１の割当先に決定し、そのカメラ１１の情報（カメラＩＤ＝Ｃ０１，カメラ種別＝ＣＸ）を割当結果へと書き出す。
【００２２】
図３（ｃ）において、カメラ割当部３２は、図３（ｂ）と同様にして、カメラ１２からカメラ種別「ＣＹ」が通知されると、そのカメラ１２を撮影可能なチャンネル「ＣＨ１」へと割り当てる。ここで、割当管理テーブル３４内の「ＣＨ３」のレコードは、既に図３（ｂ）で割当済みなので、図３（ｃ）での割当対象からは除外する。これにより、未割当のチャンネルは「ＣＨ２」だけとなる。
【００２３】
図３（ｄ）において、カメラ１３からカメラ種別「ＣＺ」が通知されると、カメラ１３が撮影可能な解像度「４」と、チャンネル「ＣＨ２」が要求する解像度「１」との間で互いに一致する解像度が存在しない事態が発生する。
このとき、カメラ割当部３２は、カメラ１３を代替カメラとして、チャンネル「ＣＨ２」へと割り当てる。そして、カメラ割当部３２は、チャンネル「ＣＨ２」の解像度（実際にカメラ１３に設定する解像度）を「１」から「４」へと変更する。
この変更は、チャンネル「ＣＨ２」では解像度「１」の映像データが撮影されれば充分であったのだが、その解像度に対応する未割当のカメラが存在しないので、解像度「４」の映像データを撮影するように代替する（つまり、カメラ１３に解像度「４」で撮影させる）旨を示す。
なお、カメラ割当部３２は、代替カメラとして、チャンネルが要求する解像度より高い解像度を撮影できるカメラ１３を選択することが、望ましい。監視という目的において、映像データのデータ量が増えてしまうというデメリットよりも、映像データを高品質化して監視対象を見逃すことを抑制するメリットの方が大きいからである。
【００２４】
図４は、監視システムの処理概要を示すフロー説明図である。このフローは、例えば、カメラ管理テーブル３３および割当管理テーブル３４のデータ内容が外部記録媒体から読み出されて、監視装置３内に書き出され、監視装置３の再起動が行われた後に実行される。
Ｓ１１として、監視装置３のカメラ通信部３１は、各カメラ１１〜１３に対してカメラ種別の問い合わせをするための問い合わせメッセージを送信する。なお、問い合わせメッセージは、例えば、問い合わせを示す用語（「VER_A=CHECKC」）をデータ部に含むＵＤＰパケットにより構成される。
Ｓ１２として、カメラ１１〜１３は、Ｓ１１の問い合わせメッセージへの応答として、監視装置３に対して自身のカメラ種別を応答メッセージで応答する。なお、応答メッセージは、例えば、応答を示す用語（「VER_A=CHECKR」）と、カメラ種別を示す情報（「TYPEA=１〜１４バイト長の本体型式」）と、をデータ部に含むＵＤＰパケットにより構成される。
【００２５】
Ｓ１３として、カメラ割当部３２は、Ｓ１２で受信した応答メッセージのカメラ種別から、応答メッセージの送信元である各カメラ１１〜１３の設定データを特定する（詳細は、図５）。
Ｓ１４として、カメラ通信部３１は、Ｓ１３で特定した設定データをカメラ１１〜１３に割り当てるための設定メッセージを送信する。なお、設定メッセージは、例えば、ＨＴＴＰのＰＯＳＴメソッドにより構成され、その標準フォーマット内のボディ部に設定データが格納される。
Ｓ１５として、カメラ１１〜１３は、Ｓ１４で受信した設定データを自身に適用する。これにより、今後カメラ１１〜１３が監視装置３に送信する映像データの撮影設定が完了する。
【００２６】
図５は、カメラ種別から設定データを特定する処理（図４のＳ１３）を示すフロー説明図である。
Ｓ１０１として、カメラ割当部３２は、応答メッセージを送信したカメラ１１〜１３のうち、後記するＳ１０５の照合処理を行っていないカメラ１１〜１３が存在するか否かを判定する。Ｓ１０１でＹｅｓなら、存在する未照合のカメラ１１〜１３から１台選択して（以下「選択カメラ」）、Ｓ１０２へ進む。Ｓ１０１でＮｏなら、Ｓ１１１へ進む。
【００２７】
Ｓ１０２として、カメラ割当部３２は、選択カメラの応答メッセージからカメラ種別を取得する。
Ｓ１０３として、カメラ割当部３２は、図３（ａ）で説明したように、カメラ管理テーブル３３を参照してカメラ種別から１つ以上の解像度を特定する（以下、「カメラ解像度」）。
Ｓ１０４として、カメラ割当部３２は、図３（ｂ）で説明したように、割当結果列が未割当であるチャンネルの解像度のうち、後記するＳ１０５の照合処理を行っていない解像度（以下、「チャンネル解像度」）を１つ選択する。
Ｓ１０５として、カメラ割当部３２は、Ｓ１０３のカメラ解像度のうち、Ｓ１０４のチャンネル解像度と一致する解像度が存在するか否かを判定する。Ｓ１０５でＹｅｓならＳ１０６へ進み、ＮｏならＳ１０７へ進む。
【００２８】
Ｓ１０６として、カメラ割当部３２は、未照合カメラ（Ｓ１０１の選択カメラ）のチャンネル割当を、Ｓ１０５で照合したチャンネル解像度のチャンネルへと割り当てる旨を決定する。そして、図３（ｂ）で説明したように、カメラ割当部３２は、割当管理テーブル３４内の割当結果列に、決定した選択カメラの情報を書き出す。
Ｓ１０７として、カメラ割当部３２は、Ｓ１０５で照合されていないチャンネル解像度がまだ割当管理テーブル３４内に存在するか否かを判定する。Ｓ１０７でＹｅｓならＳ１０４へ戻り、ＮｏならＳ１０１へ戻る。
【００２９】
Ｓ１１１として、カメラ割当部３２は、カメラ代替処理を行う（詳細は、図６）。このカメラ代替処理は、Ｓ１０５の照合処理で解像度が一致するカメラが検索できなかったチャンネルでも、割当管理テーブル３４内のチャンネルが要求する解像度に対して、同等以上の解像度を撮影可能なカメラ（代替カメラ）を再検索し、その再検索されたカメラを割り当てる処理である。
Ｓ１１２として、カメラ割当部３２は、Ｓ１０６でもＳ１１１でもカメラが割り当てられなかった未設定のチャンネルが存在するか否かを判定する。Ｓ１１２でＹｅｓならＳ１１３へ進み、Ｎｏなら処理を終了する。
Ｓ１１３として、カメラ割当部３２は、Ｓ１１２の未設定チャンネルをユーザに通知（警告）する。例えば、カメラ割当部３２は、監視装置３に接続されたモニタ画面上に、未設定チャンネルの設定対象箇所を表示することで、ユーザに環境が構築できていないことを促し、監視の空白期間を減らすことができる。
【００３０】
図６は、カメラ代替処理（図５のＳ１１１）の詳細を示すフロー説明図である。
Ｓ２０１として、カメラ割当部３２は、カメラ割当部３２は、割当管理テーブル３４の割当結果列が未割当であるチャンネルが存在するか否かを判定する。Ｓ２０１でＮｏなら、Ｓ１１１の処理を終了する。
Ｓ２０１でＹｅｓならカメラ割当部３２は、図３（ｃ）で説明したように、割当結果列が未割当であるチャンネルの解像度のうち、後記するＳ２０３の照合処理を行っていない解像度（以下、「チャンネル解像度」）を１つ選択し、Ｓ２０２へ進む。
【００３１】
Ｓ２０２として、カメラ割当部３２は、応答メッセージを送信したカメラ１１〜１３のうち、前記したＳ１０６の割当処理を行っておらず、かつ、後記するＳ２０３の照合処理を行っていないカメラ１１〜１３が存在するか否かを判定する。Ｓ２０２でＮｏなら、Ｓ１１１の処理を終了する。
Ｓ２０３でＹｅｓなら、存在する未照合のカメラ１１〜１３から１台選択して（以下「選択カメラ」）、Ｓ２０３へ進む。
【００３２】
Ｓ２０３として、カメラ割当部３２は、Ｓ２０１のチャンネル解像度よりもＳ２０３の選択カメラの撮影可能な解像度が高いか否かを判定する。Ｓ２０３でＹｅｓならＳ２０４へ進み、ＮｏならＳ２０２へ戻る。
Ｓ２０４として、カメラ割当部３２は、図３（ｃ）で説明したように、Ｓ２０３の選択カメラ（未照合カメラ）を、Ｓ１０６と同様にしてＳ２０１で選択したチャンネル解像度のチャンネルへと割り当てる。そして、Ｓ２０１へ戻る。
【００３３】
以上説明した本実施形態では、解像度などの撮影性能が別々の複数台のカメラ１１〜１３を接続する監視システムにおいて、監視用のチャンネルが要求する撮影性能に合わせたカメラの割当（設定）処理を自動化することを主な特徴とする。
これにより、監視システムの設定コストが削減される。
【００３４】
なお、本発明は前記した実施例に限定されるものではなく、様々な変形例が含まれる。例えば、前記した実施例は本発明を分かりやすく説明するために詳細に説明したものであり、必ずしも説明した全ての構成を備えるものに限定されるものではない。
また、ある実施例の構成の一部を他の実施例の構成に置き換えることが可能であり、また、ある実施例の構成に他の実施例の構成を加えることも可能である。
また、各実施例の構成の一部について、他の構成の追加・削除・置換をすることが可能である。また、上記の各構成、機能、処理部、処理手段などは、それらの一部または全部を、例えば集積回路で設計するなどによりハードウェアで実現してもよい。
また、前記の各構成、機能などは、プロセッサがそれぞれの機能を実現するプログラムを解釈し、実行することによりソフトウェアで実現してもよい。
【００３５】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤ（Digital Versatile Disc）などの記録媒体に置くことができる。
また、制御線や情報線は説明上必要と考えられるものを示しており、製品上必ずしも全ての制御線や情報線を示しているとは限らない。実際にはほとんど全ての構成が相互に接続されていると考えてもよい。
【符号の説明】
【００３６】
２      通信装置
３      監視装置
１１〜１３  カメラ
３１    カメラ通信部
３２    カメラ割当部
３３    カメラ管理テーブル（カメラ管理情報）
３４    割当管理テーブル（割当管理情報）
３５    映像出力部
３６    映像データバッファ
４１〜４３  ディスプレイ
【図１】
2015115638.tif 000003
【図２】
2015115638.tif 000004
【図３】
2015115638.tif 000005
【図４】
2015115638.tif 000006
【図５】
2015115638.tif 000007
【図６】
2015115638.tif 000008